(57)【要約】【課題】蓋部材の取り付けを簡単な構成で強固に行うことができるコネクタを提供する。【解決手段】コネクタ装置は、蓋部材１、ジャック２、上ケース３、内部コネクタ４、ねじ５、基板６、下ケース７を含んで構成される。蓋部材１は、プラグ挿入用開口３２を覆う蓋部１１と、蓋部材１を上ケース３に固定するための固定部１２、蓋部１１と固定部１２を連結する連結部１３からなり、弾性材料で一体に形成される。固定部１２は、上ケース３内に挿入される部分にＵ字状壁１２１を有しており、固定用開口３３に挿入され、上ケース３内部に形成された係合部と係合する。【選択図】図１
2006210054.tif 000002
【特許請求の範囲】
【請求項１】
プラグ挿入用開口が形成された収納ケースと、
前記収納ケース内部に前記プラグ挿入用開口に臨んで配置されるジャックと、
前記プラグ挿入用開口を開閉するための蓋部材と、を備え、
前記蓋部材は、弾性材料によって形成されるとともに、前記プラグ挿入用開口を覆う蓋部と、前記収納ケースに挿入される部分にＵ字状壁を有する固定部と、前記蓋部と前記固定部と搖動可能に連結する連結部を有し、
前記収納ケースは、前記固定部が挿入される固定用開口と、挿入された前記固定部の前記Ｕ字状壁が係合する係合部を備えるコネクタ装置。
【請求項２】
請求項１記載のコネクタ装置であって、
前記係合部は、前記Ｕ字状壁の内周が接触して係合する凹部を有するコネクタ装置。
【請求項３】
請求項２記載のコネクタ装置であって、
前記凹部は、前記収納ケースの内壁に形成されるコネクタ装置。
【請求項４】
請求項１ないし３のいずれか１項記載のコネクタ装置であって、
前記収納ケースは、互いに係合する上ケースと下ケースを備え、
前記プラグ挿入用開口、前記固定用開口、及び前記係合部は、前記上ケースに形成され、
前記下ケースには、前記Ｕ字状壁を前記係合部に係合する方向に押さえる押さえ板が形成されるコネクタ装置。
【請求項５】
請求項１ないし４のいずれか１項記載のコネクタ装置を備える電子機器。
【発明の詳細な説明】
【技術分野】
【０００１】
本発明は、コネクタ装置、及びコネクタ装置を備える電子機器に関する。
【背景技術】
【０００２】
電子機器と他の電子機器との間で信号の入出力を行う場合、両電子機器にコネクタ装置を取り付け、このコネクタ装置間をケーブルで接続することによって行うことが多い。例えば、ポータブルＣＤプレーヤーの再生信号をカーオーディオ装置に入力して、カーオーディオ装置から音を再生する場合、カーオーディオ装置のＡＵＸ入力端子用コネクタ装置と、ポータブルＣＤプレーヤーの再生出力端子用コネクタ装置とをケーブルで接続する。
【０００３】
このようなコネクタ装置では、不使用時の塵埃混入の防止、端子保護等を行う場合、端子部を覆う蓋部材が設けられる。コネクタ装置の蓋部材としては、例えば特許文献１、２に示されるような弾性体で形成されたものが知られている。
【０００４】
特許文献１に記載されたプラグ挿入口用蓋板は、プラグ挿入口に嵌装される角筒部と、アームと、ホルダからの脱落を防止するためのやじり形の係止片を備えている。しかし、このような係合片は、ホルダに取り付け時の移動規制方向が一方向であるため、蓋板に加わる力の方向によっては蓋板が抜け落ちてしまうおそれがある。
【０００５】
特許文献２に記載された入出力端子用キャップは、キャップ本体と、ヒンジ部と、取付部を有しており、取付部がビスによりワッシャを介して筐体に固定されている。この入出力端子用キャップは、ビスにより固定されているため、筐体から分離することはないが、部品点数が多くなり、取り付けのための工数も増加する。
【０００６】
【特許文献１】特開平１１−５４２０１公報
【特許文献２】特開平８−６４３０２公報
【発明の開示】
【発明が解決しようとする課題】
【０００７】
本発明は、上記事情に鑑みなされたもので、蓋部材の取り付けを簡単な構成で強固に行うことができるコネクタ装置及び蓋部材が強固に取り付けられたコネクタ装置を備える電子機器を提供することを目的とするものである。
【課題を解決するための手段】
【０００８】
本発明のコネクタ装置は、プラグ挿入用開口が形成された収納ケースと、前記収納ケース内部に前記プラグ挿入用開口に臨んで配置されるジャックと、前記プラグ挿入用開口を開閉するための蓋部材と、を備え、前記蓋部材は、弾性材料によって形成されるとともに、前記プラグ挿入用開口を覆う蓋部と、前記収納ケースに挿入される部分にＵ字状壁を有する固定部と、前記蓋部と前記固定部と搖動可能に連結する連結部を有し、前記収納ケースは、前記固定部が挿入される固定用開口と、挿入された前記固定部の前記Ｕ字状壁が係合する係合部を備えるものである。本発明によれば、蓋部材の取り付けを簡単な構成で強固に行うことができる。また、固定部の突起がＵ字壁状であるので、固定部自体が厚くなり、強度が増す。
【０００９】
本発明のコネクタ装置は、前記係合部が、前記Ｕ字状壁の内周が接触して係合する凹部を有するものを含む。本発明によれば、Ｕ字状壁が複数箇所で収納ケースと係合するので、蓋部材の複数方向の移動を規制でき、蓋部材の取り付けが強固になる。固定部の厚みを増すことができ、強固なものとすることができる。
【００１０】
本発明のコネクタ装置は、前記凹部が、前記収納ケースの内壁に形成されるものを含む。本発明によれば、収納ケースに設けられる係合部の強度を高くすることができ、蓋部材の取り付けが強固になる。
【００１１】
本発明のコネクタ装置は、前記収納ケースが、互いに係合する上ケースと下ケースを備え、前記プラグ挿入用開口、前記固定用開口、及び前記係合部が、前記上ケースに形成され、前記下ケースには、前記Ｕ字状壁を前記係合部に係合する方向に押さえる押さえ板が形成されるものを含む。本発明によれば、Ｕ字状壁と係合部と係合方向の移動を規制することができ、さらに蓋部材の取り付けが強固になる。また、係合部と押さえ板は、別部材に形成されるため、Ｕ字状壁と係合部を係合させた後に押さえ板で押さえることができ、蓋部材の取り付けを簡単に行うことができる。
【００１２】
本発明の電子機器は上記したコネクタ装置を備えるものである。本発明によれば、電子機器のコネクタ装置の蓋部材の取り付けを簡単な構成で強固に行うことができる。
【発明の効果】
【００１３】
本発明によれば、蓋部材の取り付けを簡単な構成で強固に行うことができるコネクタ装置及びコネクタ装置が取り付けられた電子機器を提供することができる。
【発明を実施するための最良の形態】
【００１４】
以下、本発明の実施の形態について、図面を用いて説明する。
【００１５】
図１から図４に、本発明の実施の形態のコネクタ装置を示す。図１は本発明の実施の形態のコネクタ装置の分解斜視図、図２は本発明の実施の形態のコネクタ装置の組立完成図、図３は本発明の実施の形態のコネクタ装置の要部展開図、図４は本発明の実施の形態のコネクタ装置の要部断面図である。
【００１６】
図に示すコネクタ装置は、蓋部材１、ジャック２、上ケース３、内部コネクタ４、ねじ５、基板６、下ケース７を含んで構成される。上ケース３と下ケース７は、上ケース３の爪部３１を下ケース７の溝７１に係合することにより一体化され、ジャック２、内部コネクタ４、基板６を収納する収納ケースを構成する。
【００１７】
ジャック２は、ミニプラグが挿入されるミニジャックであり、ミニプラグの差し込み口２１が上ケース３のプラグ挿入用開口３２に臨んで配置される。内部コネクタ４は、ジャック２と接続され、図示しないケーブルに接続される。ジャック２と内部コネクタ４は、基板６に固定され、下ケース７の所定位置に収納される。
【００１８】
蓋部材１は、プラグ挿入用開口３２を開閉するためのもので、ジャック２の不使用時にプラグ挿入用開口３２を閉鎖することにより、ジャック２の差し込み口２１が外部に露出することを防止することができる。したがって、埃等の付着の防止、外部からの衝撃に対する保護が可能となるものである。
【００１９】
蓋部材１は、プラグ挿入用開口３２を覆う蓋部１１と、蓋部材１を上ケース３に固定するための固定部１２、蓋部１１と固定部１２を連結する連結部１３からなり、ゴム、エストラマ等の弾性材料で一体に形成される。蓋部１１は、係合突起１１ａを有しており、プラグ挿入用開口３２を閉鎖時には、ジャック２の差し込み口２１に挿入される（図４参照）。固定部１２は、上ケース３内に挿入される部分にＵ字状壁１２１を有しており、固定用開口３３に挿入され、上ケース３内部に形成された係合部３４と係合する（図３参照）。連結部１３は、蓋部１１及び固定部１２に比較して薄く形成され、蓋部１１と固定部１２を互いに搖動可能に連結している。したがって、蓋部１１の先端部１１ｂ（図４参照）を図示上方向に移動させることにより、係合突起１１ａと差し込み口２１との係合を解除し、プラグ挿入用開口３２及び差し込み口２１を露出させることができる。
【００２０】
下ケース７の上方には、押さえ板７２が突設され、コネクタ装置組立て時には、蓋部材１の固定部１２を、Ｕ字状壁１２１が上ケース３の係合部３４に係合する方向に押さえる働きをする。
【００２１】
次に、蓋部材１の固定部１２と上ケース３及び下ケース７との係合動作について説明する。上ケース３の内壁には、板状の突起３４１が形成され、突起３４１の周りの凹部３４２とともに係合部３４を構成する。突起３４１は、固定部１１のＵ字状壁１２１の内部空間に対応した大きさであり、係合時にはＵ字状壁１２１の内側壁接触する。
【００２２】
コネクタ装置の組立て時、上ケース３と下ケース７が離反した状態で、固定部１２を固定用開口３３に挿入し、凹部３４１に係合する。その状態で、上ケース３と下ケース７を一体化すると、下ケース７の押さえ板７１が固定部１２の背面（Ｕ字状壁１２１が形成された面と反対の面）に位置することになる。
【００２３】
この時、Ｕ字状壁１２１の内周側壁１２１ａは突起３４１の側壁３４１ａに、Ｕ字状壁１２１の端面ｆ及びｄが上ケース３の凹部上面ａ及びｃに、Ｕ字状壁１２１の底面ｅが突起３４１の壁面ｂに接触する。そして、蓋部材１を押し込むことにより、係合突起１１ａと差し込み口２１とを係合させ、組立てを終了する。
【００２４】
図４（Ａ）は、図２の線Ａ、Ａ’を含む面で切断した時の要部断面図であり、図４（Ｂ）は、図２の線Ｂ、Ｂ’を含む面で切断した時の要部断面図である。図４に示すように、押さえ板７１はＵ字状壁１２１を係合部３４に係合させる方向に押さえており、固定部１１の図示左右方向の移動を規制している。また、Ｕ字状壁１２１の内周側壁１２１ａは突起３４１の側壁３４１ａに接触しているので、図示垂直方向の移動も規制される。図示上下方向の移動は、空間３４ａ分だけ可能であり、それ以上の移動は、Ｕ字状壁１２１の端面ｆ及びｄが上ケース３の凹部上面ａ及びｃに、Ｕ字状壁１２１の底面ｅが突起３４１の壁面ｂに接触するため、規制される。
【００２５】
したがって、蓋部材１を上方向に強く引っ張った場合でも、抜けにくくなっている。また、蓋部材１を図示上方向左右に強く引っ張った場合でも、上下方向の規制を上下２箇所で行っているので、抜けにくくなっている。すなわち、図示右上方向に引っ張った場合は、Ｕ字状壁１２１の端面ｆ及びｄと上ケース３の凹部上面ａ及びｃとの係合が強いストッパとして働き、図示左上方向に引っ張った場合は、Ｕ字状壁１２１の底面ｅと突起３４１の壁面ｂとの係合が強いストッパとして働くので、容易には抜けない。
【００２６】
なお、この例では、固定部１２と係合部３４との間に空間３４ａがあるものとしたが、この空間はなくてもよい。また、ジャック２は、ミニプラグが結合されるミニジャックに限らず他の種類のジャックにも適合可能である。
【００２７】
このようなコネクタ装置は、例えば、カーオーディオ装置のＡＵＸ端子をして利用される。その場合、カーオーディオ装置筐体表面の適宜の箇所に取り付けられる。その際、ジャックを収納するケースを専用のものとせず、取り付ける電子機器の筐体の一部を兼用してもよい。
【産業上の利用可能性】
【００２８】
以上のように、本発明は、蓋部材の取り付けを簡単な構成で強固に行うことができるコネクタ装置等として有用である。
【図面の簡単な説明】
【００２９】
【図１】本発明の実施の形態のコネクタ装置の分解斜視図
【図２】本発明の実施の形態のコネクタ装置の組立完成図
【図３】本発明の実施の形態のコネクタ装置の要部展開図
【図４】本発明の実施の形態のコネクタ装置の要部断面図
【符号の説明】
【００３０】
１  蓋部材
２  ジャック
３  上ケース
４  内部コネクタ
５  ねじ
６  基板
７  下ケース
１１  蓋部
１１ａ  係合突起
１２  固定部
１３  連結部
２１  プラグ差し込み口
３１  爪
３２  プラグ挿入用開口
３３  固定用開口
３４  係合部
７１  溝
７２  押さえ板
１２１  Ｕ字状壁
１２１ａ  内周側壁
３４１  突起
３４２  凹部
【図１】
2006210054.tif 000003
【図２】
2006210054.tif 000004
【図３】
2006210054.tif 000005
【図４】
2006210054.tif 000006